(57)【要約】【課題】利便性の向上を図った洗車用コンテナを提供する。【解決手段】洗車用コンテナ１は、複数の容器２と、該複数の容器を収容する収容体３と、容器が収容体に収容された状態で、収容体を傾倒させた際に容器が落下するのを防止するための落下防止部材４と、を備えている。洗車用コンテナは、例えば、各容器内の水を一遍に排出するために、収容体の開口３０を下方に向けるように傾倒させたとしても、落下防止部材が設けられていることで、各容器内の水と共に、容器自体が落下することが防止される。【選択図】図２
0003203111.tif 000002
【実用新案登録請求の範囲】
【請求項１】
洗車に用いる水を持ち運ぶための洗車用コンテナであって、
複数の容器と、
該複数の容器を収容する収容体と、
前記容器が前記収容体に収容された状態で、前記収容体を傾倒させた際に前記容器が落下するのを防止するための落下防止部材と、を備えたことを特徴とする洗車用コンテナ。
【請求項２】
前記収容体が、底壁と、該底壁から立設する周壁と、を有し、上方に開口する箱状に構成され、
前記落下防止部材は、前記複数の容器のそれぞれを嵌挿可能な貫通孔を有する基板と、該基板から前記底壁に向けて立設された脚部と、を備えていることを特徴とする請求項１に記載の洗車用コンテナ。
【請求項３】
前記落下防止部材は、前記貫通孔の周縁から立設されて、前記容器を挟持する少なくとも一対の挟持片を有していることを特徴とする請求項２に記載の洗車用コンテナ。
【請求項４】
前記落下防止部材が、前記収容体と別体に構成されていることを特徴とする請求項１乃至請求項３のうち何れか一項に記載の洗車用コンテナ。
【考案の詳細な説明】
【技術分野】
【０００１】
本考案は、洗車用コンテナに関する。
【背景技術】
【０００２】
複数の容器を１箇所に纏め、各容器を単独で取出し可能とする分別ゴミ箱としてのコンテナが開示されている（例えば、特許文献１参照）。
【０００３】
特許文献１に記載された分別ゴミ箱としての従来のコンテナは、上面開口の複数の容器と、容器を上方から引き抜くことで該容器それぞれを単独に取出し可能な保持体と、によって構成されている。各容器は保持体の上端よりも上方に突出する掴み部を有している。そして、掴み部を掴んで、所望の容器だけを取り出すことで、容器内の収容物を排出可能に構成されている。
【先行技術文献】
【特許文献】
【０００４】
【特許文献１】特開２００３−１２８２０２号公報
【考案の概要】
【考案が解決しようとする課題】
【０００５】
しかしながら、例えば、各容器内の収容物を一遍に排出するために、保持体の開口を下方に向けるように傾倒させた場合には、各容器内の収容物と共に、容器自体も保持体から落下する。このため、各容器内の収容物を排出するために、各容器の掴み部を掴みつつ、保持体を傾倒させることが考えられるが、使い勝手が悪かった。
【０００６】
本考案の目的は、利便性の向上を図った洗車用コンテナを提供することにある。
【課題を解決するための手段】
【０００７】
請求項１に記載の本考案は、洗車に用いる水を持ち運ぶための洗車用コンテナであって、複数の容器と、該複数の容器を収容する収容体と、前記容器が前記収容体に収容された状態で、前記収容体を傾倒させた際に前記容器が落下するのを防止するための落下防止部材と、を備えたことを特徴とする。
【０００８】
請求項２に記載の本考案は、請求項１に記載の洗車用コンテナにおいて、前記収容体が、底壁と、該底壁から立設する周壁と、を有し、上方に開口する箱状に構成され、前記落下防止部材は、前記複数の容器のそれぞれを嵌挿可能な貫通孔を有する基板と、該基板から前記底壁に向けて立設された脚部と、を備えていることを特徴とする。
【０００９】
請求項３に記載の本考案は、請求項２に記載の洗車用コンテナにおいて、前記落下防止部材は、前記貫通孔の周縁から立設されて、前記容器を挟持する少なくとも一対の挟持片を有していることを特徴とする。
【００１０】
請求項４に記載の本考案は、請求項１乃至請求項３のうち何れか一項に記載の洗車用コンテナにおいて、前記落下防止部材が、前記収容体と別体に構成されていることを特徴とする。
【考案の効果】
【００１１】
請求項１に記載の本考案によれば、洗車に用いる水を持ち運ぶための洗車用コンテナであって、複数の容器と、複数の容器を収容する収容体と、容器が収容体に収容された状態で、収容体を傾倒させた際に容器が落下するのを防止するための落下防止部材と、を備えている。即ち、洗車用コンテナは、例えば、各容器内の水を一遍に排出するために、収容体の開口を下方に向けるように傾倒させたとしても、落下防止部材が設けられていることで、各容器内の水と共に、容器自体が落下することが防止される。従って、利便性の向上を図ることができる。
【００１２】
請求項２に記載の本考案によれば、収容体が、底壁と、該底壁から立設する周壁と、を有し、上方に開口する箱状に構成され、落下防止部材は、複数の容器のそれぞれを嵌挿可能な貫通孔を有する基板と、該基板から底壁に向けて立設された脚部と、を備えている。これによれば、各容器が貫通孔に嵌挿されて、ぐらつくことなく、安定的に収容体内に設置される。従って、各容器内の水を、収容体の移動に伴ってこぼれ難くすることができる。
【００１３】
また、例えば、収容体の開口を下方に向けるように傾倒させた際に、基板に対して容器が傾けられ、落下防止部材における貫通孔の縁に各容器の周板が当接されて、容器が貫通孔の周縁に引っ掛かるから、各容器内の水とともに、各容器自体が落下することを防止することができる。
【００１４】
請求項３に記載の本考案によれば、落下防止部材は、貫通孔の周縁から立設されて、容器を挟持する一対の挟持片を有している。このように一対の挟持片が設けられていることで、各容器が、より一層確実に、落下防止部材により支持される。
【００１５】
請求項４に記載の本考案によれば、落下防止部材が、収容体と別体に構成されている。これによれば、落下防止部材を収容体から取り外すことで、収容体を一つの大きな容器として用いることができるとともに、収容体の内部を平坦面に形成することができるから、収容体の内部を洗浄し易くすることができる。
【図面の簡単な説明】
【００１６】
【図１】本考案の一実施の形態にかかる洗車用コンテナの概念図である。
【図２】図１に示された洗車用コンテナの分解斜視図である。
【図３】（Ａ）は、洗車用コンテナを構成する容器の斜視図であり、（Ｂ）は、（Ａ）の断面図である。
【図４】洗車用コンテナを構成する落下防止部材の斜視図である。
【図５】図４に示された落下防止部材に容器が嵌挿される様子を示す説明図である。
【考案を実施するための形態】
【００１７】
以下、本考案の一例である一実施の形態にかかる洗車用コンテナを、図１〜図５に基づいて説明する。
【００１８】
洗車用コンテナ１は、図１、図２に示すように、上方に開口を有する有底筒状の複数（実施形態では６個）の容器２と、これらの容器２を収容する収容部３（収容体）と、容器２が収容体に収容された状態で、収容部３を傾倒させた際に各容器２が落下するのを防止するための落下防止部材４（図２に示す）と、を備えて構成されている。
【００１９】
容器２は、図３（Ａ）（Ｂ）に示すように、略正方形状の底板２０と、底板２０の各縁から立設した４枚の周板２１と、を備え、上方に開口を有した有底筒状に構成されている。各周板２１は、底板２０から離れた側（開口側）の上底が、底板２０側の下底よりも大きい台形状に形成されている。さらに、周板２１は、底板２０から離れた端部（開口）が、底板２０よりも面積が大きくなるように形成された広口部２２を有している。このような容器２は、後述する落下防止部材４における貫通孔４０に底板２０側から嵌挿され、広口部２２が貫通孔４０の周縁４ａに当接することで、落下防止部材４に支持されている。
【００２０】
収容部３は、図２に示すように、上方に長方形状の開口３０を有する箱状に形成された収容部本体３１と、収容部本体３１の開口３０を覆う蓋部３２と、蓋部３２を回動自在に支持するヒンジ部３３と、を有して構成されている。さらに、収容部３は、蓋部３２により収容部本体３１の開口３０が覆われた状態で維持するためのロック部３４を有している。ヒンジ部３３は、収容部本体３１の開口３０における長辺３０Ａ（図２に示す）を回動軸とするように当該収容部本体３１と蓋部３２とを連結している。
【００２１】
収容部本体３１は、長方形状の底壁３５と、該底壁３５から角筒状に立設する周壁３６と、を有して構成されているとともに、６個の容器２を長辺方向（矢印Ｘ方向）に３個並べつつ短辺方向（矢印Ｙ方向）に２個並べて収容することが可能な直方体状に形成されている。
【００２２】
ここで、図２中の矢印Ｘ、Ｙ、Ｚは互いに直交する方向である。図２に示すように、収容部本体３１の長辺方向を矢印Ｘで示し、短辺方向を矢印Ｙで示し、収容部本体３１の高さ方向(鉛直方向)を矢印Ｚで示す。
【００２３】
落下防止部材４は、図４、図５に示すように、複数の容器２それぞれを嵌挿可能な貫通孔４０を有する基板４１と、基板４１から底壁３５（下方）に向けて棒状に立設する複数（実施形態では６本）の脚部４２と、を有して構成されている。脚部４２は、基板４１を収容部３の底壁３５から浮いた位置に配置するためのものである。このような落下防止部材４は、基板４１が収容部３内にて浮いた所定位置にあることで、容器２の上下方向の適宜な位置に、基板４１における貫通孔４０が位置することになる。これによれば、各容器２が貫通孔４０に嵌挿されて、ぐらつくことなく、安定的に収容部３内に設置される。従って、各容器２内の水を、収容部３の移動に伴ってこぼれ難くすることができる。
【００２４】
基板４１は、収容部３の底壁３５（開口３０）と略同一形状の長方形状に形成されている。また、基板４１に形成された６個の貫通孔４０は、該貫通孔４０内に容器２が嵌挿された際に、容器２の上下方向の適宜な位置において、容器２の周板２１と貫通孔４０の周縁４ａとが接触するような大きさに形成されている。
【００２５】
さらに、基板４１には、各貫通孔４０の周縁４ａから立設されて、容器２を挟持する一対の挟持片４３を有している。一対の挟持片４３は、基板４１に対して脚部４２と同じ方向に立設されている。各挟持片４３は、貫通孔４０の周縁４ａに連続された２つの辺の長さが略等しい二等辺三角形状に形成されている。また、一対の挟持片４３は、周縁４ａから離れた角部に向かうに従って、互いに近づくように僅かに内倒れして形成されている。そして、一対の挟持片４３は、貫通孔４０内に嵌挿された容器２を挟持可能なように構成されている。また、本実施形態では、一対の挟持片４３は、短辺方向（矢印Ｙ方向）に一対設けられているが、本考案はこれに限定されず、長辺方向（矢印Ｘ方向）に設けられていてもよく、短辺方向及び長辺方向の両方に設けられていてもよい。
【００２６】
脚部４２は、基板４１が収容部３における上下方向の所定位置に位置するような長さを有して構成されている。脚部４２は、基板４１の周縁において、短辺方向（矢印Ｙ方向）の両端における隣接する貫通孔４０間、及び、長辺方向（矢印Ｘ方向）の両端における隣接する貫通孔４０間に、それぞれ設けられている。
【００２７】
このような落下防止部材４は、収容部本体３１の開口３０が露出するように蓋部３２が開いた状態で、落下防止部材４を、脚部４２側から収容部３に収容する。すると、落下防止部材４の基板４１が、収容部本体３１の所定位置に配置される。この際、基板４１の周縁に、収容部本体３１の周板２１が接触している。こうして、落下防止部材４を収容部本体３１に収容する。
【００２８】
ここで、本実施形態では、落下防止部材４は、収容部３と別体に設けられているから、落下防止部材４を収容体から取り外すことで、収容部３を一つの大きな容器２として用いることができるとともに、収容部３の内部を平坦面に形成することができるから、収容部３の内部を洗浄し易くすることができる。
【００２９】
続いて、洗車用コンテナ１の使用方法の一例について以下に説明する。
【００３０】
まず、洗車用コンテナ１は、各容器２の上端よりも下方まで水を注いでおく。洗車用コンテナ１に注がれた水を洗車する車両の近傍まで運ぶ。
【００３１】
次に、図示しない洗車用具を容器２内の水に浸して、洗車用具に水を含ませた状態で、車両ボディを撫でて汚れを落とす。車両ボディの汚れが洗車用具に付着する。この後、洗車用具を容器２で濯ぐ。すると、洗車用具に付着した汚れが除去される。容器２内の水は、洗車用具に付着した汚れにより汚染されているから、汚れの再付着を抑制するために、他の容器２内の水を使って車両ボディを洗浄する。このようにして、他の容器２内の水が汚染されたら、更に他の容器２内の水を使って車両用ボディを洗浄する。こうして、洗車用コンテナ１に汲まれた水を効率よく使うことができる。
【００３２】
さらに、洗車が終了した後、各容器２内の水を一遍に排出するために、収容部３の開口３０を下方に向けるように傾倒させる。すると、容器２が傾いて、落下防止部材４の貫通孔４０の周縁４ａに当接されて、容器２が貫通孔４０の周縁４ａに引っ掛かるから、各容器２内の水とともに、各容器２自体が落下することを防止される。
【００３３】
なお、上述した実施形態では、収容部３と落下防止部材４とが別体で構成されている一例を説明したが、本考案はこれに限定されるものではない。収容体と落下防止部材とが一体で構成されていてもよい。
【００３４】
また、落下防止部材４が、貫通孔４０を有する基板４１から構成されていてもよい。その場合には、収容部３の周壁３６には基板４１を載置させる載置部（不図示）が設けられて、基板４１が収容部３内にて浮いた所定位置に設けられていてもよい。載置部は、例えば、収容部３の周壁３６から内方に突出するように形成されていて、基板４１を載置可能に構成されていればよい。この場合には脚部４２は省略してもよい。
【００３５】
また、上述した実施形態では、収容部３は、底壁３５と、周壁３６とを有して箱状に形成されていたが、本考案はこれに限定されるものではない。収容体は、周壁３６のみから枠状に構成されていてもよい。その場合には、底壁３５は省略してもよい。
【００３６】
前述した各実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の洗車用コンテナの構成を具備する限り、勿論、本考案の範疇に含まれるものである。
【符号の説明】
【００３７】
１      洗車用コンテナ
２      容器
３      収容部（収容体）
３５    底壁
３６    周壁
４      落下防止部材
４０    貫通孔
４１    基板
４３    （一対の）挟持片
【図１】
0003203111.tif 000003
【図２】
0003203111.tif 000004
【図３】
0003203111.tif 000005
【図４】
0003203111.tif 000006
【図５】
0003203111.tif 000007